(57)【要約】【課題】  本発明の課題は、搬送装置内でジャムが発生した際に、ジャム紙を容易に取り出すことができる搬送装置及び画像形成装置を提供することである。【解決手段】  用紙を搬送する搬送ローラ対３９と搬送方向下流側に向けて送風する送風部４０と搬送ローラ対３９の下流側に設けられたジャム紙の取り出し口とを有し、ジャム発生時に取り出し口を開いて搬送ローラ対３９が互いに離れるとともに送風部４０から搬送方向下流側に送風してジャム紙を取り出し口側に移動させている。【選択図】      図１
2005298161.tif 000002
【特許請求の範囲】
【請求項１】
用紙を搬送する搬送ローラ対と搬送方向下流側に向けて送風する送風部と搬送ローラ対の下流側に設けられたジャム紙の取り出し口とを有し、ジャム発生時に取り出し口を開いて搬送ローラ対が互いに離れるとともに送風部から搬送方向下流側に送風してジャム紙を取り出し口側に移動させることを特徴とする搬送装置。
【請求項２】
搬送ローラ対の下流側には用紙をガイドする一対の搬送ガイドを備えており、取り出し口を開いたときには搬送ガイド間が開くことを特徴とする請求項１に記載の搬送装置。
【請求項３】
送風部は送風の切替えを行う送風切替手段を備え、通常時には搬送ローラ対の駆動モータに送風して駆動モータを冷却するようになっており、ジャム発生時には搬送方向下流側に送風してジャム紙を取り出し口側に移動させるようになっていることを特徴とする請求項１又は２に記載の搬送装置。
【請求項４】
送風切替手段は取り出し口の開き動作に連動していることを特徴とする請求項１〜３の何れか一項に記載の搬送装置。
【請求項５】
用紙を給紙する給紙部と、給紙部から搬送される用紙に未定着画像を形成する作像部と、未定着画像を定着させる定着部と、定着終了後の用紙を装置外へ排出させる排紙部とを備え、定着部の下流位置に請求項１〜４の何れか一項に記載の搬送装置を設けたことを特徴とする画像形成装置。
【請求項６】
搬送装置は作像部で片面に画像が形成された用紙を表裏反転させる反転部を有し、その反転部で反転された用紙を再度作像部に向けて再給紙することで両面印刷可能となっており、反転部を引き出して取り出し口を開くことを特徴とする請求項５に記載の画像形成装置。
【発明の詳細な説明】
【技術分野】
【０００１】
本発明は、搬送装置及び画像形成装置に関する。
【背景技術】
【０００２】
特許文献１には、用紙を搬送する搬送ローラ対と搬送ローラ対の搬送方向下流側に設けられたジャム紙の取り出し口とを備えた搬送装置が開示されている。
【０００３】
【特許文献１】特開２００３−１６５６７７号公報
【発明の開示】
【発明が解決しようとする課題】
【０００４】
しかし、特許文献１に記載の従来技術は、搬送装置内でジャムが発生した場合、取り出し口を開いて、搬送装置内のジャム紙を取り出すようにしているが、ジャム紙が搬送装置の搬送方向の奥側（上流側）にある場合、目線が奥側まで届かないため、ジャム紙を取り除き損ねるおそれがある。また、搬送装置の搬送方向奥側まで手を差しんで取り出す必要があるため、ジャム紙を取り出し難いという問題がある。
【０００５】
本発明は、搬送装置内でジャムが発生した際に、ジャム紙を容易に取り出すことができる搬送装置及び画像形成装置を提供することを目的とする。
【課題を解決するための手段】
【０００６】
前記課題を解決するために、請求項１に記載された発明は、用紙を搬送する搬送ローラ対と搬送方向下流側に向けて送風する送風部と搬送ローラ対の下流側に設けられたジャム紙の取り出し口とを有し、ジャム発生時に取り出し口を開いて搬送ローラ対が互いに離れると共に送風部から搬送方向下流側に送風してジャム紙を取り出し口側に移動させることを特徴とする。
【０００７】
請求項２に記載された発明は、請求項１に記載の発明において、搬送ローラ対の下流側には用紙をガイドする一対の搬送ガイドを備えており、取り出し口を開いたときには搬送ガイド間が開くことを特徴とする。
【０００８】
請求項３に記載された発明は、請求項１又は２に記載の発明において、送風部は送風の切替えを行う送風切替手段を備え、通常時には搬送ローラ対の駆動モータに送風して駆動モータを冷却するようになっており、ジャム発生時には搬送方向下流側に送風してジャム紙を取り出し口側に移動させるようになっていることを特徴とする。
【０００９】
請求項４に記載された発明は、請求項１〜３の何れか一項に記載の発明において、送風切替手段は取り出し口の開き動作に連動していることを特徴とする。
【００１０】
請求項５に記載された発明は、用紙を給紙する給紙部と、給紙部から搬送される用紙に未定着画像を形成する作像部と、未定着画像を定着させる定着部と、定着終了後の用紙を装置外へ排出させる排紙部とを備え、定着部の下流位置に請求項１〜４の何れか一項に記載の搬送装置を備えることを特徴とする。
【００１１】
請求項６に記載された発明は、請求項５に記載の発明において、搬送装置は作像部で片面に画像が形成された用紙を表裏反転させる反転部を有し、その反転部で反転された用紙を再度作像部に向けて再給紙することで両面印刷可能となっており、反転部を引き出して取り出し口を開くことを特徴とする。
【発明の効果】
【００１２】
請求項１に記載の発明によれば、搬送装置内でジャムが発生した際には、取り出し口が開いて搬送ローラ対が互いに離れると共に、送風部から搬送方向下流側に送風してジャム紙を取り出し口側に移動させるので、ジャム紙が搬送方向上流側に残りにくく、ジャム紙を簡単に取り除くことができる。
【発明を実施するための最良の形態】
【００１３】
以下に、添付図面を参照して、本発明の実施の形態を詳細に説明する。図１は図５に示す画像形成装置の反転装置部分において反転部を引き出した状態を示す断面図であり、一点鎖線で抜き出して示す図は送風部を拡大して示す断面図、図２は図５に示す画像形成装置の反転装置部分において反転部を収納した状態を示す断面図であり、一点鎖線で抜き出して示す図は送風部を拡大して示す断面図であり、図３は図５に示す画像形成装置の反転装置部分の平面図であり、図４は図５に示す画像形成装置の反転装置部分において駆動部を示す断面図であり、図５は本実施の形態にかかる画像形成装置を示す断面図である。
【００１４】
図５に示すカラー画像形成装置（画像形成装置）１は、複数の用紙（以下、転写紙、ジャム紙ともいう）が積載された用紙積載部２と、用紙積載部２内の用紙を給紙する給紙ローラ（給紙部）４と、給紙ローラ４から給紙された用紙に未定着画像を形成する作像部６とを備えている。作像部６は、可撓性を有するベルト状の像担持体である感光体ベルト３と、その感光体ベルト３の表面に順次形成される４色（３色であってもよい）に色分解された各色に対応する潜像を対応するイエロー、マゼンタ、シアン、黒の４色のトナー（現像剤）でそれぞれ現像する４つの現像器を一体的に備えたカラーの現像装置５と、現像装置５により現像された複数の色の各トナー像を順次重ね合わせた状態で担持してＢ方向に回動する中間転写体である中間転写ベルト７とを備えている。そして、装置本体には、中間転写ベルト７からトナー像が片面に転写されて定着部９により定着された後、用紙を表裏反転させて再給紙する両面装置（搬送装置）１０を備えている。
【００１５】
感光体ベルト３の下側には、感光体ベルト３の表面を均一に帯電する帯電手段として機能する帯電チャージャ１１を設けており、その下方には静電像露光手段として機能するレーザ書込ユニット１３を設けている。
【００１６】
また、定着部９の用紙搬送方向下流側には排紙ローラ対１５を設けている。そして、排紙ローラ対１５の用紙搬送方向下流側に、上述の両面装置１０の排紙部１７を設け、係る排紙部１７に排紙ローラ対１９と、トナー像を転写した後の用紙を装置外へ排出する方向とその用紙を両面装置１０の垂直搬送部２５に向かう方向とに搬送方向を切り換える切換爪２１を設けている。切換爪２１の切り替え動作により、画像形成後の用紙を装置本体の外部に設けている排紙トレイ２３へ排出可能にしている。
【００１７】
両面装置１０は、上述したように装置本体の上部の外側に設けられた排紙部１７と、装置本体の背面の外側に設けられて排紙部１７を通って装置の下方に向けて搬送する垂直搬送部２５と、垂直搬送部２５を通して搬送される用紙を受け入れて表裏反転させ、その用紙をスイッチバック搬送して作像部６に向けて再給紙する反転装置２７とによって構成されている。
【００１８】
排紙部１７と垂直搬送部２５は、共にユニット状に形成されており、装置本体に対して着脱が可能になっている。また、反転装置２７は、装置本体に固定された筐体部２９と、筐体部２９に対して引き出し可能な反転部３１とを備えており、反転部３１は作像部６で片面に画像が形成された用紙を表裏反転させるジョガーフェンス３３が設けられている。ジョガーフェンス３３により用紙揃えが行なわれた後、先端と後端とを反対にした状態で、反転ローラ３７の回転により再度感光体ベルト３が設けられている作像部６に向けて再給紙するようになっている。また、反転部３１には後述する突き当てローラ５１が案内されるローラガイド５３が設けられている。
【００１９】
筐体部２９には用紙を下流側の反転部３１に向けて搬送する搬送ローラ対３９と搬送方向下流側に向けて送風する送風部４０とを備え、搬送ローラ対３９の下流側には用紙をガイドする上下の搬送ガイド４３、４５を備えている。下搬送ガイド４５は搬送ローラ対３９の上流側にある支点４９を中心として上下に回動可能になっており、下搬送ガイド４５の下流側先端には突き当てローラ５１が設けられている。
【００２０】
また、上下の搬送ガイド４３、４５には搬送ローラ対３９から搬送される用紙をさらに下流側に向けて搬送する補助搬送ローラ対４７が設けられている。そして、反転部３１が引き出されたときには、下搬送ガイド４５が搬送ローラ対３９の上流側にある支点４９を中心として下方に回動し、且つ突き当てローラ５１がローラガイド５３に案内されることで搬送ガイド間が開くようになっており、それと共に搬送ローラ対３９の上下のローラが互いに離れるようになっている。尚、補助搬送ローラ対４７、４７間には用紙検知センサ５５が設けられており、用紙検知センサ５５が所定時間継続して用紙を検知することで、ジャムの発生が知得できるようになっている。
【００２１】
図４に示すように、搬送ローラ対３９及び補助搬送ローラ対４７の軸端にはプ−リ６７及びタイミングベルト６９が取り付けられている。また駆動モ−タ６３及び減速ギヤ７１はブラケット７３により反転装置２７に固定されている。そして、駆動モ−タ６３から減速ギヤ７１、タイミングベルト６９により伝達された駆動力で搬送ローラ対３９及び補助搬送ローラ対４７を回転させている。駆動モ−タ６３の上部にはダクト６２の出口がありそこから出てきた風により駆動モ−タ６３及び制御板６５が冷却される。
【００２２】
送風部４０は、ファン４１とファン４１に接続されたダクト４２とからなり、ダクト４２が図１の一点鎖線で示すように上搬送ガイド４３に取り付けられている。また、ダクト４２には、切替え板（送風切替手段）５７が設けられており、搬送ローラ対３９及び補助搬送ローラ対４７の駆動モータ６３及び制御板６５を冷却する通常時と、搬送方向下流側に送風してジャム紙を取り出し口側に移動させるジャム発生時とで切替え可能になっている。切替え板５７は一方の端がダクト４２の搬送方向上流側に設けられた支点部６１を中心に回動自在になっており、他方の端が下搬送ガイド４５に突き当てられた状態になっている。
【００２３】
図２に示すように、反転部３１が筐体部２９にセットされているときには、切替え板５７は下搬送ガイド４５により押し上げられて、ダクト６２の出口が上搬送ガイド４３により塞がれ、ファン４１からの風は搬送ガイド間に漏れないようになっている。このときは、図３に示すように、ファン４１からの風は切替え板５７に形成された通気孔５９からダクト６２を介して装置右側に送られ、装置右側に設けられた駆動モータ６３及び制御板６５を冷却するようになっている。
【００２４】
一方、反転部３１が筐体部２９から引き出されたときには、下搬送ガイド４５の動きに連動して切替え板５７は下方に移動し、上搬送ガイド４３とダクト４２の出口との間に隙間が形成され、かかる隙間からファン４１からの風が送風されてジャム紙を搬送方向下流側に移動させるようになっている。
【００２５】
次に、上述した構成に基づき本実施の形態の作用を説明する。画像形成動作を開始すると感光体ベルト３の表面が帯電チャージャ１１により一様に帯電された後、その帯電面がレーザ書込ユニット１３により、画像情報に基づいて走査露光され、そこに静電潜像が形成される。ここで、露光する画像情報は、形成するフルカラー画像をイエロー，シアン，マゼンタ及び黒の各色情報に分解した単色の画像情報であり、その情報に応じてレーザ書込ユニット１３の半導体レーザから射出したレーザビームを、光学装置により走査及び光路調整する。そして、感光体ベルト３上に各々の色に対応して順次形成される静電潜像が、回転型の現像装置５によりイエロー、シアン、マゼンタ及び黒のトナーで各々単色現像され、感光体ベルト３上に各色画像が順次形成される。
【００２６】
感光体ベルト３上に形成された各単色画像は、感光体ベルト３が矢示Ａ方向に回動することにより中間転写ベルト７に接する位置に移動すると、その順次形成されるイエロー，シアン、マゼンタ及び黒の単色画像毎に、中間転写ベルト７上に順次重ね合わされて転写される。中間転写ベルト７上に形成されたカラー画像は、給紙ローラ４により所定のタイミングで給紙され、転写ローラにより一括転写される。カラー画像が転写された転写紙は、定着部９に搬送されて未定着画像が定着される。そして、片面のみにフルカラーの画像を形成するときには、排紙ローラ対１９から排紙トレイ２３上に排出される。
【００２７】
一方、用紙の両面にカラー画像を形成するときには、排紙部１７に設けた切換爪２１が図５に示す仮想線で示す位置に回動し、排紙ローラ対１５を通過した転写紙は、切換爪１７に案内され、排紙トレイ２３の下側の搬送路へ送り込まれ、垂直搬送部２５へ向けて搬送される。垂直搬送部２５に搬送された転写紙は、装置下部の反転装置２７に搬送される。反転装置２７に送り込まれた転写紙は、上下の搬送ガイド対４３、４５で案内されつつ搬送ローラ対３９及び補助搬送ローラ対によって、搬送方向下流側に搬送される。そして、転写紙は反転部３１に送り込まれ、反転部３１に設けたジョガーフェンス３３により用紙揃えが行なわれた後、先端と後端とを反対にした状態で、反転ローラ３７の回転により再度感光体ベルト３が設けられている作像部６に向けて再給紙される。
【００２８】
ここで、片面に画像が形成された後の転写紙が反転装置２７内でジャムになったときについて説明する。ジャムの発生時には用紙検知センサ５５が所定時間継続して用紙を検知することで、ジャムの発生をユーザに知らせる。反転部３１を引き出すと、下搬送ガイド４５が支点４９を中心に下方に回動し、それと共に搬送ローラ対３９の上下のローラが互いに離れる。また、下搬送ガイド４５の動きに連動して切替え板５７が下方に移動し、上搬送ガイド４３とダクト４２の出口との間に隙間が形成され、かかる隙間からファン４１から風が送風されてジャム紙を搬送方向下流側に移動させる。
【００２９】
このように、反転装置２７でジャムが発生したときには、ファン４１から風を送り込んで反転装置２７の奥側に残ったジャム紙を奥側から手前側に移動させるので、反転装置２７の奥側まで手を差しんで取り出す必要がなく、ジャム紙を簡単に取り除くことができる。また、ジャム紙を奥側から手前側に移動させるので、目線が届き難い奥側にジャム紙が残らないため、ジャム紙を取り除き損ねるおそれが小さい。
【００３０】
また、ファン４１を備えた送風部４０は、送風の切替えにより駆動モータ６３及び制御板６５の冷却と、ジャム紙の取り出し口側への移動とを行っており、１つの送風部４０で駆動モータ等の冷却とジャム発生時の用紙の移動とを兼用できる。
【００３１】
尚、本発明は上述した実施の形態に限定されず、その要旨を逸脱しない範囲で種々の変形が可能である。
【００３２】
本実施の形態では、上述の実施の形態では搬送装置として、両面に画像を形成すべく搬送する用紙の表裏を反転させる反転部を備えた両面装置１０としたが、これに限定されず、一方向のみに用紙を搬送する搬送装置であっても良い。
【図面の簡単な説明】
【００３３】
【図１】図５に示す画像形成装置の反転装置部分において反転部を引き出した状態を示す断面図であり、一点鎖線で抜き出して示す図は送風部を拡大して示す断面図である。
【図２】図５に示す画像形成装置の反転装置部分において反転部を収納した状態を示す断面図であり、一点鎖線で抜き出して示す図は送風部を拡大して示す断面図である。
【図３】図５に示す画像形成装置の反転装置部分の平面図である。
【図４】図５に示す画像形成装置の反転装置部分において駆動部を示す断面図である。
【図５】本実施の形態に係る画像形成装置を示す断面図である。
【符号の説明】
【００３４】
１      カラー画像形成装置（画像形成装置）
４      給紙ローラ（給紙部）
６      作像部
９      定着部
１０    両面装置（搬送装置）
１７    排紙部
３１    反転部
３９    搬送ローラ対
４０    送風部
４３    上搬送ガイド
４５    下搬送ガイド
５７    切替板（送風切替手段）
【図１】
2005298161.tif 000003
【図２】
2005298161.tif 000004
【図３】
2005298161.tif 000005
【図４】
2005298161.tif 000006
【図５】
2005298161.tif 000007